(57)【要約】【課題】便器を容易かつ確実に洗浄でき、安価に製造できる温水洗浄便座装置を提供すること。【解決手段】温水洗浄便座装置の温水供給手段に接続されている洗浄側配管部から清掃側配管部を分岐させ、清掃側配管部に第２開閉弁を配設するとともに、清掃側配管部の端部に清掃ノズルを接続する。清掃ノズルは便器に対して変位可能にする。第２開閉弁を開くと、温水供給手段から清掃ノズルに温水が流入するため、便器を温水で洗浄できる。清掃ノズルは便器に対して変異可能であるため、清掃ノズルを変位させると便器の内部を広範囲にわたって洗浄できる。【選択図】図１
2007077715.tif 000002
【特許請求の範囲】
【請求項１】
給水源に接続され該給水源から供給された水を加温して吐出する温水供給手段と、
便器の内部に向けて延び、先端が便座に着座したユーザーの局部に対応する位置に配される局部洗浄ノズルと、
該温水供給手段と該局部洗浄ノズルとを接続する洗浄側配管部と、
該洗浄側配管部に配設され、該洗浄側配管部の内部に形成されている第１流路を開閉する第１開閉弁と、
該洗浄側配管部の該温水供給手段と該第１開閉弁との間の位置に接続し、該洗浄側配管部から分岐する清掃側配管部と、
該清掃側配管部の先端に接続されている清掃ノズルと、
該清掃側配管部に配設され、該清掃側配管部の内部に形成されている第２流路を開閉する第２開閉弁と、を備え、
該清掃ノズルは該便器に対して変位可能であることを特徴とする温水洗浄便座装置。
【請求項２】
前記清掃側配管部の少なくとも一部は可撓性をもつ請求項１に記載の温水洗浄便座装置。
【請求項３】
前記ユーザーが前記便座に着座しているか否かを検知する検知手段を備え、
前記第２開閉弁は該検知手段に接続され、前記ユーザーが前記便座に着座しているときに前記第２流路を閉鎖する請求項１に記載の温水洗浄便座装置。
【請求項４】
前記ユーザーが前記便座に着座しているか否かを検知する検知手段を備え、
前記第１開閉弁は該検知手段に接続され、前記ユーザーが前記便座に着座していないときに前記第１流路を閉鎖する請求項１に記載の温水洗浄便座装置。
【請求項５】
温水供給手段から吐出された温水が、切替手段の切り替え作用により、便器上の便座に着座したユーザーの局部を指向する局部洗浄ノズルと、該便器に対して変位可能であり該便器を清掃する清掃ノズルと、に択一的に供給されるようにしたことを特徴とする温水洗浄便座装置。
【請求項６】
前記切替手段は、前記ユーザーが前記便座に着座したときに前記温水を前記局部洗浄ノズルに供給し、前記ユーザーが前記便座に着座していないときに前記温水を前記清掃ノズルに供給する請求項５に記載の温水洗浄便座装置。
【発明の詳細な説明】
【技術分野】
【０００１】
本発明は温水洗浄便座装置に関し、詳しくは便器を容易かつ確実に洗浄できる温水洗浄便座装置に関する。
【背景技術】
【０００２】
便座に着座したユーザーの局部を局部洗浄ノズルから噴射する温水にて洗浄する温水洗浄便座装置としては、従来より種々のものが知られている。近年では、局所洗浄ノズルの近傍に（或いは局所洗浄ノズルと一体に）清掃ノズルを設け、清掃ノズルに温水を供給して便器を洗浄する技術が提案されている（例えば、特許文献１参照）。清掃ノズルから噴射される温水で便器を洗浄すれば、便器の内面に付着した大便などの冷水では洗い流し難い汚れを、容易に洗い流すことができる。
【０００３】
ところで、特許文献１の温水洗浄便座装置によると、予め想定された便器内の領域を洗浄することはできるが、便器の内部全体を洗浄することはできない。すなわち、特許文献１の温水洗浄便座装置では、清掃ノズルから噴射された温水が届く領域のみを洗浄することができるが、清掃ノズルから噴射された温水が届かない領域を洗浄することはできない。したがって、この種の温水洗浄便座装置によって便器の内部全体を洗浄するためには、清掃ノズルを多数設ける必要があり、製造コストが非常に高くなる問題があった。
【特許文献１】特開平１１−３２４０６３号公報
【発明の開示】
【発明が解決しようとする課題】
【０００４】
本発明は上記事情に鑑みて成されたものであり、便器を容易かつ確実に洗浄でき、安価に製造できる温水洗浄便座装置を提供することを目的とする。
【課題を解決するための手段】
【０００５】
上記課題を解決する第１発明の温水洗浄便座装置は、給水源に接続され給水源から供給された水を加温して吐出する温水供給手段と、便器の内部に向けて延び、先端が便座に着座したユーザーの局部に対応する位置に配される局部洗浄ノズルと、温水供給手段と局部洗浄ノズルとを接続する洗浄側配管部と、洗浄側配管部に配設され、洗浄側配管部の内部に形成されている第１流路を開閉する第１開閉弁と、洗浄側配管部の温水供給手段と第１開閉弁との間の位置に接続し、洗浄側配管部から分岐する清掃側配管部と、清掃側配管部の先端に接続されている清掃ノズルと、清掃側配管部に配設され、清掃側配管部の内部に形成されている第２流路を開閉する第２開閉弁と、を備え、清掃ノズルは便器に対して変位可能であることを特徴とする。
【０００６】
第１発明の温水洗浄便座装置は、下記の構成（１）〜（３）の何れかを備えることが好ましい。構成（１）〜（３）の複数を備えることが望ましい。
（１）上記清掃側配管部の少なくとも一部は可撓性をもつ。
（２）上記ユーザーが上記便座に着座しているか否かを検知する検知手段を備え、上記第２開閉弁は検知手段に接続され、上記ユーザーが上記便座に着座しているときに上記第２流路を閉鎖する。
（３）上記ユーザーが上記便座に着座しているか否かを検知する検知手段を備え、上記第１開閉弁は検知手段に接続され、上記ユーザーが上記便座に着座していないときに上記第１流路を閉鎖する。
【０００７】
上記課題を解決する第２発明の温水洗浄便座装置は、温水供給手段から吐出された温水が、切替手段の切り替え作用により、便器上の便座に着座したユーザーの局部を指向する局部洗浄ノズルと、該便器に対して変位可能であり該便器を清掃する清掃ノズルと、に択一的に供給されるようにしたことを特徴とする。
【０００８】
第２発明の温水洗浄便座装置は、下記の構成（４）を備えることが好ましい。
（４）上記切替手段は、上記ユーザーが上記便座に着座したときに上記温水を上記局部洗浄ノズルに供給し、上記ユーザーが上記便座に着座していないときに上記温水を上記清掃ノズルに供給する。
【発明の効果】
【０００９】
第１発明および第２発明の温水洗浄便座装置によると、温水供給手段で加温された水（温水）が清掃ノズルを経て噴射する。清掃ノズルから噴射した温水で落ちにくい汚れを容易に洗い流すことができる。清掃ノズルは便器に対して変位可能であるため、清掃ノズルを変位させると便器の内部を広範囲にわたって洗浄できる。よって、多数の清掃ノズルを設ける必要がなく、製造コストが低減する。また、温水洗浄便座装置に通常配設されている温水供給手段から清掃ノズルに温水を供給するため、既存の温水洗浄便座装置を便器清掃用の装置として流用できる利点もある。
【００１０】
第１発明の温水洗浄便座装置が上記構成（１）を備える場合には、可撓性をもつ清掃側配管部を撓めることで、清掃ノズルを便器に対して容易に変位させ得る。すなわち、本発明の温水洗浄便座装置が上記構成（１）を備える場合には、清掃ノズルを便器に対して変位させる機構を簡潔にできる。
【００１１】
第１発明の温水洗浄便座装置が上記構成（２）を備える場合には、ユーザーが便座に着座しているときは、第２経路を自動的に閉鎖する。したがって、ユーザーが局部を洗浄する際に清掃ノズルから温水が噴射することはない。
【００１２】
第１発明の温水洗浄便座装置が上記構成（３）を備える場合には、ユーザーが便座に着座していないときには、第１経路を自動的に閉鎖する。したがって、ユーザーが便器を洗浄する際に局部洗浄ノズルから温水が噴射することはない。
【００１３】
第２発明の温水洗浄便座装置が上記構成（４）を備える場合には、ユーザーが便座に着座しているときには、温水は局部洗浄ノズルにのみ供給される。そして、ユーザーが便座に着座していないときには、温水は清掃ノズルにのみ供給される。したがって、ユーザーが局部を洗浄する際に清掃ノズルから温水が噴射することや、ユーザーが便器を洗浄する際に局部洗浄ノズルから温水が噴射することはない。
【発明を実施するための最良の形態】
【００１４】
第１発明の温水洗浄便座装置において、温水供給手段、便器、便座、局部洗浄ノズル、洗浄側配管部および第１開閉弁は、通常の温水洗浄便座装置に配設されているものと同様のものを使用できる。すなわち、第１発明の温水洗浄便座装置は、従来の温水洗浄便座装置に、さらに、清掃側配管部、清掃ノズルおよび第２開閉弁を配設したものである。以下、清掃側配管部、清掃ノズルおよび第２開閉弁を総称して清掃手段と呼ぶ。便器および便座を総称して便座装置本体と呼ぶ。温水供給手段、局部洗浄ノズル、洗浄側配管部および第１開閉弁を総称して局部洗浄手段と呼ぶ。
【００１５】
第１発明の温水洗浄便座装置において、温水供給手段は、給水源から供給された水を加温し吐出する。したがって温水供給手段は、少なくとも、水を加温する加温手段を備える。加温手段としては、電熱ヒータ等の既知構造からなるものを用いることができる。温水供給手段には、その他、温水を一時的に収容する温水タンクなどを設けても良いし、温水洗浄便座装置の配設場所などによっては、加圧ポンプなどからなる送水手段を設けても良い。第２発明の温水洗浄便座装置における温水供給手段は、温水を吐出できればよく、第１発明の温水洗浄便座装置と同様に、加温手段や温水タンクや加圧ポンプ等を備えても良い。なお、例えば、温水と冷水とを給水する給水源が配設されているトイレに温水洗浄便座装置を配設する場合などには、温水供給手段に加温手段を別途設けなくても良い。
【００１６】
第１発明および第２発明の温水洗浄便座装置において、清掃ノズルは、便器に対して変位可能である。清掃ノズルは、自身が便器に対して変位しても良いし、清掃側配管部の変形や変位に追従し清掃側配管部とともに便器に対して変位しても良い。何れの場合にも、清掃ノズルが便器に対して変位することで、清掃ノズルから噴射された温水が便器内部の広い領域に届く。よって、便器の内部全体を確実に洗浄できる。なお、清掃ノズルの先端部は、種々の形状に形成できる。例えば、清掃ノズルの先端部は筒状をなしても良いし、複数の孔部をもつ形状（所謂シャワーヘッド状）をなしても良い。
【００１７】
第１発明の温水洗浄便座装置において、第１開閉弁と第２開閉弁とは、個別に動作しても良いし連動しても良いが、両者が連動するのが好ましい。すなわち、第１開閉弁が第１流路を開放している場合には第２開閉弁が第２流路を閉鎖し、第２開閉弁が第２流路を開放している場合には第１開閉弁が第１流路を閉鎖するのが好ましい。ユーザーが局所を洗浄しつつ便器を洗浄する可能性は非常に低いためである。第１開閉弁および第２開閉弁は手動で動作しても良いし、モータや制御手段などに接続され所定のタイミングで自動的に動作しても良い。
【００１８】
第２発明の温水洗浄便座装置における切替手段は、温水の流路を切替えて、温水供給手段から吐出された温水を、局部洗浄ノズルと清掃ノズルとに択一的に供給できるものであれば良く、上述した第１開閉弁と第２開閉弁とを切替手段として用いても良い。
【実施例】
【００１９】
以下、本発明の温水洗浄便座装置を図面を基に説明する。
【００２０】
（実施例１）
実施例の温水洗浄便座装置は、上記構成（１）〜（３）を備える第１発明の温水洗浄便座装置であり、かつ、上記構成（４）を備える第２発明の温水洗浄便座装置である。実施例１の温水洗浄便座装置を模式的に表す斜視図を図１に示す。実施例１の温水洗浄便座装置を模式的に表すブロック図を図２に示す。以下、本明細書において、上、下、左、右、前、後とは図１に示す上、下、左、右、前、後を指すものとする。
【００２１】
実施例の温水洗浄便座装置は、便座装置本体と、局部洗浄手段と、清掃手段とを備える。便座装置本体は、図１に示すように、便蓋１０、便座１１、便器１２、ケース体１３、ロータンク１４を備える。便座１１は便器１２の上方に配され、便蓋１０は便座１１の上方に配される。ケース体１３は箱状をなし、便蓋１０、便座１１および便器１２の後方に配される。ケース体１３は便器１２に脱着自在に固定されている。便蓋１０および便座１１はケース体１３に枢支され、便器１２に対して回動して便器１２の上面を開閉する。図１においては、便蓋１０は便器１２の上面を開き、便座１１は便器１２の上面を閉じている。
【００２２】
ロータンク１４は中空状をなし、ケース体１３の後方に配されている。ロータンク１４の内部には、給水源２０（水道管に接続されている止水栓）に一端が接続する第１配管３１の他端が接続されている。第１配管３１には、給水源２０とロータンク１４との間の位置に、分岐栓２１が接続されている。分岐栓２１には第２配管３２の一端が接続されている。図２に示すように、第２配管３２の他端はケース体１３の内部に配設されている温水タンク２２に接続されている。第２配管３２には、分岐栓２１と温水タンク２２との間の位置に、第２配管３２の内部を開閉する主弁２３が配設されている。温水タンク２２には、電熱ヒータ２９が接続されている。電熱ヒータ２９は温水タンク２２の内部に収容されている水を所定の温度に加温する。温水タンク２２には、第３配管３３の一端が接続されている。第３配管３３には、第３配管３３の内部を開閉する第１開閉弁２４が配設されている。第３配管３３の他端には切替弁２５が配設されるとともに、切替弁２５を介して第４配管３４および第５配管３５が接続されている。切替弁２５を切り替えることで、第３配管３３の内部が第４配管３４の内部と第５配管３５の内部との一方に連絡する。第３配管３３には、第１開閉弁２４と切替弁２５との間の位置に、流量制御弁２６が配設されている。第４配管３４の先端には、肛門洗浄ノズル４０が接続されている。第５配管３５の先端には、ビデ洗浄ノズル４１が接続されている。第４配管３４および第５配管３５の先端は、ケース体１３の外部に表出している。図１に示すように、肛門洗浄ノズル４０およびビデ洗浄ノズル４１は便器１２の内部に向けて延び、先端が便器１２の内部に表出している。
【００２３】
実施例１の温水洗浄便座装置では、第３配管３３、第４配管３４および第５配管３５が洗浄側配管部を構成する。第３配管３３、第４配管３４および第５配管３５の内部が第１流路を形成する。実施例１の温水洗浄便座装置では、第１配管３１、分岐栓２１、第２配管３２、主弁２３、温水タンク２２および電熱ヒータ２９が温水供給手段を構成する。肛門洗浄ノズル４０およびビデ洗浄ノズル４１が局部洗浄ノズルを構成する。温水供給手段、局部洗浄ノズル、洗浄側配管部（第３配管３３、第４配管３４、第５配管３５）、第１開閉弁２４、流量制御弁２６および切替弁２５が局部洗浄手段を構成する。
【００２４】
第３配管３３には、温水タンク２２と第１開閉弁２４との間の位置に、第６配管３６の一端が接続されている。すなわち、第６配管３６は第３配管３３から分岐する。第６配管３６の他端には第２開閉弁２７が配設されているとともに、第７配管３７の一端が接続されている。第７配管３７はフレキシブルホースからなる。第２開閉弁２７を駆動するための操作レバー２８、および、第７配管３７は、ケース体１３上方に表出している。第７配管３７の他端には、シャワーヘッドからなる清掃ノズル４２が接続されている。ロータンク１４の左側壁には、清掃ノズル４２を保持するフック５０が設けられている。尚、操作レバー２８が第２開閉弁２７を完全に閉じていない場合には、図略のスイッチがオン状態となり、このオン信号が制御手段に伝送される。
【００２５】
実施例１の温水洗浄便座装置では、第６配管３６および第７配管３７が清掃側配管部を構成する。第６配管３６および第７配管３７の内部が第２流路を形成する。実施例１の温水洗浄便座装置では、清掃側配管部（第６配管３６、第７配管３７）、第２開閉弁２７および清掃ノズル４２が清掃手段を構成する。主弁２３、第１開閉弁２４および切替弁２５は、図略の制御手段に接続され、マイコン制御により所定のタイミングで動作する。流量制御弁２６は手動で動作する。
【００２６】
便座１１には、赤外線センサからなる検知手段（図略）が設けられている。検知手段はユーザー（図略）が便座１１に着座しているか否かを検知する。検知手段は制御手段に接続されている。すなわち、第１開閉弁２４および第２開閉弁２７は、制御手段を介して検知手段に接続されている。ユーザーが便座１１に着座していない状態では、第１開閉弁２４と第２開閉弁２７とが閉じられている。よって、第３配管３３が閉じられるとともに、第６配管３６と第７配管３７との連通が遮断している。ユーザーが便座１１に着座すると、検知手段で生じた検知信号が制御手段に伝送され、制御手段が第１開閉弁２４のみを開く。操作手段は、第２開閉弁２７が完全に閉じられていない旨を示すオン信号を検知すると、図略のブザー装置から警報音を発し、ユーザーをして操作レバー２８を操作せしめ、第２開閉弁２７を完全に閉じるようにする。よって、第６配管３６と第７配管３７との連通が遮断された状態で第３配管３３が開かれる。ユーザーが便座１１から離れると、検知手段で生じた非検知信号が制御手段に伝送され、制御手段が第１開閉弁２４を閉じる。
【００２７】
ケース体１３の左側部分上面には、操作パネル５１が設けられている。ユーザーが便座１１に着座すると、上述したように、制御手段が第１開閉弁２４を開くとともに第２開閉弁２７を閉じる。この状態で操作パネル５１の肛門洗浄スイッチ（図略）を操作すると、主弁２３が開いて給水源２０と第３配管３３（洗浄側配管部）とが連通する。すると、給水源２０からの水圧が温水タンク２２内部に加わる。温水タンク２２内部には温水が収容されており、水圧が加わることで温水タンク２２内の温水は第３配管３３に流入する。肛門洗浄スイッチを操作した時点で、切替弁２５が動作して第３配管３３と第４配管３４とを連通する。よって、第３配管３３に流入した温水は第４配管３４を経て肛門洗浄ノズル４０に流入する。肛門洗浄ノズル４０は温水の水圧で所定長さだけ伸長する。そして、肛門洗浄ノズル４０から温水が噴出する。このとき、肛門洗浄ノズル４０の先端は、便座１１に着座しているユーザーの肛門部に近接した位置に配され、ユーザーの肛門部を指向するため、肛門洗浄ノズル４０から噴出した温水はユーザーの肛門部にあたる。操作パネル５１の前方局部洗浄スイッチ（図略）を操作した場合には、切替弁２５が動作して第３配管３３と第５配管３５とを連通するため、同様に温水タンク２２から流出した温水は、第５配管３５を経てビデ洗浄ノズル４１から噴出してユーザーの前方局部にあたる。
【００２８】
ユーザーが便座１１に着座していない状態では、第１開閉弁２４および第２開閉弁２７が閉じられている。したがって、この状態で操作パネル５１の洗浄スイッチ（図略）を操作すると、主弁２３が開いて給水源２０と第３配管３３（洗浄側配管部）とが連通する。操作レバー２８を操作すると、第２開閉弁２７が開かれる。このとき、第１開閉弁２４が閉じられているために、第３配管３３に流入した温水は第６配管３６を経て第７配管３７に到達し、洗浄ノズルから噴射する。
【００２９】
ここで、第７配管３７はフレキシブルチューブからなり可撓性をもつため、第７配管３７は便器１２に対して変位（変形）自在である。よって、第７配管３７に接続されている清掃ノズル４２もまた便器１２に対して変位自在である。したがって、第７配管３７を撓ませ、清掃ノズル４２を便器１２に対して変位させつつ清掃ノズル４２から温水を噴射すれば、便器１２の内部に広範囲にわたって温水を噴射でき、便器１２に付着した汚れを確実かつ効率よく落とすことができる。
【００３０】
さらに、実施例１の温水洗浄便座装置によると、清掃ノズル４２で便器１２以外の物品を洗浄することもできる。例えば、汚物が付着した物品を清掃ノズル４２で洗浄する場合には、汚水を直接便器１２に流すことができる。また、便器１２の上方で物品を洗浄すれば、物品から脱離した汚物は便器１２に落ちるため、容易に捨て去ることができる。したがって、汚物が付着した物品を居室や浴室などで洗浄する場合と異なり、物品を洗浄する際にユーザーや居住空間など汚れるのを防止できる。さらに、清掃ノズル４２からは冷水ではなく温水が噴射するために、汚物が付着した物品を確実かつ効率よく洗浄できる。
【００３１】
実施例１の温水洗浄便座装置では、便座１１に検知手段を配設したが、検知手段はその他の場所に配設しても良い。例えば、フック５０に検知手段を配設し、清掃ノズル４２とフック５０との位置関係からユーザーが便座１１に着座しているか否かを検知しても良い。清掃ノズル４２がフック５０に保持されている場合には、ユーザーが便座１１に着座していると判断し、清掃ノズル４２がフック５０から外れている場合には、ユーザーが便座１１に着座していないと判断すればよい。
【００３２】
尚、操作レバー２８で開閉操作される第２開閉弁２７を、制御手段によって直接開閉駆動される電磁弁としても良い。
【００３３】
（実施例２）
実施例２の温水洗浄便座装置は、第６配管および第７配管（清掃側配管部）以外は実施例１の温水洗浄便座装置と同じである。実施例２の温水洗浄便座装置を模式的に表す斜視図を図３に示す。
【００３４】
実施例２の温水洗浄便座装置では、清掃側配管部（第６配管および第７配管３７）が可撓性をもたない。第７配管３７は略Ｌ字状をなし、第６配管に回動可能に接続されている。第７配管３７は、清掃ノズル４２が接続されている側の端部が長手方向に伸縮する。
【００３５】
実施例２の温水洗浄便座装置では、清掃側配管部が可撓性をもたないが、第７配管３７が第６配管に対して回動するため、清掃ノズル４２が便器１２に対して変位する。よって、実施例２の温水洗浄便座装置によっても、便器１２の内部に広範囲にわたって温水を噴射でき、便器１２に付着した汚れを確実かつ効率よく落とすことができる。
【図面の簡単な説明】
【００３６】
【図１】実施例１の温水洗浄便座装置を模式的に表す斜視図である。
【図２】実施例１の温水洗浄便座装置を模式的に表すブロック図である。
【図３】実施例２の温水洗浄便座装置を模式的に表す斜視図である。
【符号の説明】
【００３７】
１１：便座、１２：便器、２０：給水源、（３３、３４、３５）：洗浄側配管部、（２１、２２、２３、２９、３１、３２）：温水供給手段、２４：第１開閉弁、（４０、４１）：局部洗浄ノズル、（３６、３７）：清掃側配管部、２７：第２開閉弁、４２：清掃ノズル
【図１】
2007077715.tif 000003
【図２】
2007077715.tif 000004
【図３】
2007077715.tif 000005